(57)【特許請求の範囲】
【請求項１】
炭酸カルシウム粒子及び顔料粒子を含む顔料粒子組成物であって、
前記炭酸カルシウム粒子の結晶形が、カルサイト又はアラゴナイトであり、
前記顔料粒子と前記炭酸カルシウム粒子の重量比が９０：１０〜５：９５であり、
前記炭酸カルシウム粒子は、相互に結合して少なくとも一個の顔料粒子を含む炭酸カルシウム構造体を形成しており、該炭酸カルシウム構造体が前記顔料粒子とともに不透明で安定な顔料−炭酸カルシウム凝集体を形成し、該炭酸カルシウム構造体における炭酸カルシウム粒子が、前記少なくとも一個の顔料粒子を少なくとも部分的に包むシェルを形成し、
前記炭酸カルシウム粒子が非球形であり、前記顔料粒子を前記炭酸カルシウム粒子によって相互に分離してなり、顔料粒子間の距離が平均で少なくとも６０ｎｍである、ことを特徴とする顔料粒子組成物。
【請求項２】
前記炭酸カルシウム粒子が多核炭酸カルシウム構造体を形成し、これに顔料粒子が結合することを特徴とする請求項１に記載の組成物。
【請求項３】
前記炭酸カルシウム粒子で形成したシェルが、部分的に又は全体的に、１〜２０個の顔料粒子を包むことを特徴とする請求項１又は２に記載の組成物。
【請求項４】
前記顔料組成物が、他の成分として、分散剤、表面改質剤及び安定化剤もしくはそれらの混合物を含むことを特徴とする請求項１〜３のいずれか一項に記載の組成物。
【請求項５】
前記顔料が光散乱及び／又は吸収顔料であるか、又は有機顔料材料であることを特徴とする請求項１〜４のいずれか一項に記載の組成物。
【請求項６】
前記顔料粒子が酸化チタンであり、一部又は全部の二酸化チタンを炭酸カルシウムによって置換する用途では、１０：９０〜３０：７０の二酸化チタンと炭酸カルシウムの重量比率で組成物を用いることにより達成し得る不透明度が、１００％二酸化チタンのものに少なくとも近いものであり、前記顔料粒子として用いる二酸化チタンの結晶形が、ルチル又はアナターゼであることを特徴とする請求項１〜５のいずれか一項に記載の組成物。
【請求項７】
上記炭酸カルシウム構造体によって形成したシェルの厚さが平均で少なくとも３０ｎｍであることを特徴とする請求項１〜６のいずれか一項に記載の組成物。
【請求項８】
顔料粒子を含む水酸化カルシウム含有水性スラリーを二酸化炭素含有ガス中に噴霧し、水酸化カルシウムを炭酸塩化して炭酸カルシウムを生成し、次に炭酸カルシウムを含む顔料組成物を生成し、かつ
顔料組成物中の炭酸カルシウムの割合が所定の重量百分率と等価であるように、前記水性スラリー中の水酸化カルシウムの量を選択し、
水酸化カルシウム含有水性スラリーを二酸化炭素ガス内に噴霧し炭酸塩化して発生した水性スラリーを回収し、更なる炭酸塩化工程に導き、前記水性スラリーを二酸化炭素ガス内にもう一回噴霧するか又は前記スラリーに二酸化炭素ガスをバブリングすることによって前記スラリーを更に炭酸塩化して、全ての水酸化カルシウムが炭酸カルシウムに転換するまで炭酸塩化を継続する
ことを特徴とする前記顔料粒子を前記炭酸カルシウム粒子と組合わせることによる請求項１〜７のいずれか一項に記載の組成物の製造方法。
【請求項９】
過剰量の二酸化炭素中で行い、顔料スラリーのｐＨ値が中性になるまで、別個の酸を添加することなく炭酸塩化を継続することを特徴とする請求項８に記載の方法。
【請求項１０】
炭酸塩化を数段階で実施し、前記水酸化カルシウム含有水性スラリーの二酸化炭素ガス中への噴霧の結果で、かつまた炭酸塩化の結果である水性スラリーを回収し、更なる炭酸塩化に導き、前記水性スラリーを二酸化炭素ガス内にもう一回噴霧するか又は前記スラリーに二酸化炭素ガスをバブリングすることによって前記スラリーを更に炭酸塩化することを特徴とする請求項８又は９に記載の方法。
【請求項１１】
水性スラリーを少なくとも一回、二酸化炭素ガス内に滴下するように連続的に炭酸塩化を実施することを特徴とする請求項８〜１０のいずれか一項に記載の方法。
【請求項１２】
前記水酸化カルシウム含有水性スラリーの少なくとも全てを顔料粒子と共に炭酸塩化工程において添加することを特徴とする請求項８〜１１のいずれか一項に記載の方法。
【請求項１３】
前記顔料粒子を含む水酸化カルシウム含有水性スラリーを高エネルギー混合ゾーンに導き、ここで前記スラリーを滴状、さらに霧滴状に破砕し、その後二酸化炭素含有ガス内に滴下することを特徴とする請求項８〜１２のいずれか一項に記載の方法。
【請求項１４】
前記顔料粒子の水酸化カルシウム含有水性スラリーが少なくとも繊維を含まないことを特徴とする請求項８〜１３のいずれか一項に記載の方法。
【請求項１５】
顔料と、結合剤と、塗料に用いる製造材料及び添加剤とを含む塗料組成物であって、顔料の少なくとも１重量％が請求項１〜７のいずれか一項に記載の組成物からなることを特徴とする、塗料組成物。
【請求項１６】
顔料と、結合剤と、被覆材料に用いる製造材料及び添加剤とを含む被覆材料組成物であって、顔料の少なくとも１重量％が請求項１〜７のいずれか一項に記載の組成物からなることを特徴とする、被覆材料組成物。
【請求項１７】
顔料と、充填組成物に用いる製造材料及び添加剤とを含む充填材組成物であって、顔料の少なくとも１重量％が請求項１〜７のいずれか一項に記載の組成物からなることを特徴とする、充填材組成物。
【請求項１８】
顔料に混合した熱可塑性ポリマーと、場合によりポリマー組成物に用いる製造材料及び添加剤とを含むポリマー組成物であって、顔料の少なくとも１重量％が請求項１〜７のいずれか一項に記載の組成物からなることを特徴とする、ポリマー組成物。
【請求項１９】
液相で混合した顔料と、結合剤と、場合により印刷インキ組成物に用いる着色顔料及び他の製造材料及び添加剤とを含む印刷インキ組成物であって、顔料の少なくとも１重量％が請求項１〜７のいずれか一項に記載の組成物からなることを特徴とする、印刷インキ組成物。
【請求項２０】
顔料の５重量％以上が、請求項１〜７のいずれか一項に記載の組成物を含み、該組成物中の顔料粒子が二酸化チタンであることを特徴とする請求項１５〜１９のいずれか一項に記載の組成物。
【請求項２１】
塗料、紙又は板紙中の被覆材料組成物、紙又は板紙中の充填材組成物、プラスチック又は印刷インキにおける顔料としての請求項１〜７のいずれか一項に記載の組成物の使用であり、前記顔料粒子が二酸化チタンであることを特徴とする使用。
【発明の詳細な説明】
【技術分野】
【０００１】
本発明は，請求項１の前段に係る顔料粒子組成物に関する。
【０００２】
このような組成物は一般に炭酸カルシウム粒子及び顔料粒子含む。
【０００３】
本発明はまた，請求項２２の前段に係る顔料粒子組成物の製造方法，並びに請求項４０〜４４の前段に係る塗料，被覆材料，充填材料，ポリマー及び印刷インキ組成物に関する。
【背景技術】
【０００４】
二酸化チタンは，高屈折率ゆえに，塗料，印刷インキ及び他の多数の被覆組成物並びに充填材料に光散乱白色顔料として使用される。
【０００５】
二酸化チタンは高価で、リサイクルが困難である。要求される量を低減するため，二酸化チタンを通常増量剤と混合するが，増量剤の量を非常に少なく保つことが必要である。さもないと，二酸化チタンで達成される光学特性，特に塗料及び被覆組成物並びに充填材料にとっても決定的に重要である不透明度が失われる。
【発明の概要】
【発明が解決しようとする課題】
【０００６】
本発明の課題は既知の技術に伴う欠点を除き，達成される光学特性，特に不透明度を劣化させることなく光散乱顔料の量を低減することが可能な全く新しい顔料組成物を作り出すことにある。
【課題を解決するための手段】
【０００７】
本発明は，沈降炭酸カルシウム粒子を含むシェルを顔料粒子の周囲に形成し，該シェルが少なくとも部分的に一個又は数個の顔料粒子を包むという技術的思想に基づく。
【０００８】
この場合，本発明によれば，炭酸カルシウム粒子を少なくとも主にこれらが互いに結合するように炭酸塩化して，炭酸カルシウム構造体を形成する。これら構造体は，一個又は数個の粒子，通常は一個又は二個の顔料粒子を含み，炭酸カルシウムと一緒に実質的に不透明で安定な顔料−炭酸カルシウム凝集体を形成する。
【０００９】
かかる組成物は、例えば，水酸化カルシウムを炭酸塩化するために顔料粒子を含む水酸化カルシウム含有水性スラリーを二酸化炭素含有ガス中に噴霧し，顔料組成物中の炭酸カルシウムの割合が所定の重量百分率と等価であるように水性スラリー中の水酸化カルシウムの量を選択し、互いに結合すべき炭酸カルシウム粒子を炭酸塩化するために水酸化カルシウムを炭酸塩化し，実質的に全ての水酸化カルシウムが炭酸カルシウムに転換されるまで炭酸塩化を継続することによって製造することが可能である。
【００１０】
本発明に係る組成物を，塗料，紙又は板紙中の被覆材料組成物，紙又は板紙中の充填材組成物，プラスチック又は印刷インキにおける顔料として使用することが可能である。
【００１１】
より具体的には，本発明に係る組成物は請求項１に記載の特徴事項を主な特徴とする。
【００１２】
同様に，本発明に係る方法は請求項２２に記載の特徴事項を特徴とし，本発明に係る塗料，被覆材料組成物，充填材組成物，ポリマー又は印刷インキ組成物は請求項４０〜４４に記載の特徴事項を特徴とする。
【００１３】
本発明に係る使用は請求項４７の記載事項を特徴とする。
【００１４】
本発明が奏し得る利点は多数ある。本顔料組成物によって優れた不透明度が達成され，また例えば塗料組成物中の二酸化チタン製白色顔料の５０重量％超への置換体として使用することが可能である。
【００１５】
顔料粒子が二酸化チタンの場合，一部又は全部の二酸化チタンを炭酸カルシウムによって置換する用途では，炭酸カルシウム変性を１０：９０〜３０：７０の二酸化チタンと炭酸カルシウムの重量比率で適用することによって達成し得る不透明度が，１００％二酸化チタンのものに少なくとも近いものであることを本発明者らは見出した。
【００１６】
本発明に係る組成物の優れた特性は，主として顔料粒子間距離が少なくとも約６０ｎｍ，好適には少なくとも約１００ｎｍ，最も好適には少なくとも約１２０ｎｍであるように，顔料粒子を炭酸カルシウム構造体によって相互に分離した結果である。
【００１７】
炭酸カルシウムの価格は，二酸化チタン又は多くの他の光散乱顔料粒子の価格よりも実質的に安価であるため，本発明は顔料コストの大幅な低減をもたらす。
【００１８】
特に二酸化チタンに関しては，白色被覆顔料市場において，その(すなわち，二酸化チタン)実際の代替品がないことに注目することが重要である。然も，二酸化チタンの欠点は凝集する傾向があり，この場合その光散乱力が著しく低下することである。本発明のもう一つの利点は，チタンの高屈折率(光散乱係数)を効率的に活用する方法を見出したことである。本発明に係るシェルの製造において，コスト効果の非常によい材料，すなわち，酸化カルシウム／水酸化カルシウム及び二酸化炭素を高価な二酸化チタンの代わりになるように使用することができる。
【００１９】
紙及び板紙用途における二酸化チタンに関する他の問題は、保持品質がしばしば乏しいことにあり，かかる特性は本発明に係る製品を使用することによって改善される。その理由は，本製品が二酸化チタンよりも大きな粒径と低い密度を有するからである。より大きくより軽い粒子は，繊維ネットワーク中で一層容易に保持され，水とともに除去されない(機械的保持特性)。
【００２０】
製造方法は単純で工業的に有用である。非常に高速で，炭酸塩化プロセスが非常に効率的である。炭酸塩シェルの発生が現場で起こり、この場合別のＰＣＣ製造が不要になる。上記方法を工業的規模で適用できる。本発明の好適な実施態様によれば，顔料組成物の製造を連続的に行う。
【図面の簡単な説明】
【００２１】
以下に，本発明を詳細な説明及び添付図面の助けによってより詳しく説明する。
【００２２】
【図１】図１ａ及び１ｂは本発明に従って製造した炭酸カルシウム−顔料粒子組成物の電子顕微鏡写真である。
【図２】本発明に係る沈殿反応装置の一つの線図的垂直断面図を例として示す。
【図３】図２に係る沈殿反応装置に装着するアトマイザーの線図的水平断面図を例として示す。
【図４】本発明による第二の沈殿反応装置の線図的垂直断面図を例として示す。
【図５】図４に係る沈殿反応装置のアトマイザーを例として線図的に示す。
【図６】本発明に係る一群の沈殿反応装置の線図的垂直断面図を例として示す。
【発明を実施するための形態】
【００２３】
図１ａ及び１ｂは，本発明に従って製造され，炭酸カルシウム粒子によって包まれた二酸化チタン粒子を含む炭酸カルシウム−顔料製品の電子顕微鏡写真を示す。炭酸カルシウムは，炭酸塩化処理によって水酸化カルシウムから製造された粒子(すなわち，沈降炭酸カルシウム，ＰＣＣ)からなる。図１ａ及び１ｂは，本発明の実施態様によれば，少なくとも一個の上記顔料粒子を少なくとも部分的に包むシェルを形成するように互いに結合するために，上記炭酸カルシウム粒子が典型的に炭酸塩化する様子を示す。分析に基づけば，シェルの厚さは平均で少なくとも約３０ｎｍ，特には少なくとも約５０ｎｍ，最も好適には約６０〜５００ｎｍである。
【００２４】
写真に基づけば，炭酸カルシウム粒子は主として形状が非球形である。典型的には，その外形は少なくとも大部分斜方晶又は菱面体晶である。該粒子は結晶質で，その結晶形は大部分カルサイト又はより少ない頻度でアルゴナイトである。
【００２５】
図１ａ及び１ｂは，炭酸カルシウム粒子が顔料粒子を結合する多核炭酸カルシウム構造体を形成することを示す。本発明者らの試験は，炭酸カルシウム粒子と本写真では二酸化チタン粒子である顔料粒子が互いに強固に結合することを示す。炭酸カルシウム粒子の大部分(すなわち，５０％超，典型的にはさらに９０又は９５％超)が，乾燥顔料組成物中及び顔料組成物の水性スラリー中の両方で，炭酸カルシウム結晶に結合したままである。
【００２６】
炭酸カルシウム−顔料凝集体について用いる「安定な」という特性は，炭酸カルシウム−顔料凝集体を水中に分散しその後乾燥しても，又は逆もまた同様でこれらを粉末形態に乾燥しその後水に分散しても，凝集体の一部である顔料粒子の相当な割合が(少なくとも約５０重量％，特には約７５重量％，最も好適には少なくとも約９０重量％)が炭酸カルシウム粒子に結合したままであることを意味する。
【００２７】
不透明性とは，炭酸カルシウム−顔料凝集体が，実施態様において顔料の一部又は全部を置換する際に混合する中間剤に対し顔料として良好な不透明度を付与することを意味する。通常，この不透明度は関連する顔料と同程度(変動範囲は約１０％)である。優れた不透明度は主として上述したことの結果である。すなわち，シェルで覆われる顔料粒子を最適な不透明度を生じる相互間距離で維持することが可能であり，またこれら粒子の保持が良好であり，中間剤中に均一に分布されることである
【００２８】
炭酸カルシウム粒子で形成されたシェルが，部分的に又は全体的に，約１〜２０個，特には約１〜１０個，好適には１〜３個の顔料粒子を包む。図中，個々の二酸化チタン粒子を炭酸カルシウムから区別することは困難である。なぜなら，前者は完全に後者によって包まれているためである。炭酸カルシウム構造体を炭酸カルシウム粒子で形成し，他の粒子に結合するための炭酸塩化の前の当初の粒径は、平均で約２０〜２５０ｎｍである。炭酸カルシウム粒子が凝集する場合，それらは実質的に連続な表面を形成する。
【００２９】
顔料粒子と炭酸カルシウム粒子との重量比は，約 ９０：１０〜５：９５，好適には約６０：４０〜５：９５，特には約 ４０：６０〜１０：９０である。図１ａ及び１ｂに係わる組成物は，顔料及び炭酸カルシウムの総量に対して二酸化チタンの量が平均で約１８重量％，炭酸カルシウムの量が平均で約８２重量％である場合を示す。
【００３０】
製造に際して，最終顔料組成物中の炭酸カルシウムの割合が所定の重量百分率に対応するように炭酸塩化すべき水性スラリー中の水酸化カルシウム及び炭酸カルシウムの量を選択することによって，光散乱顔料と炭酸カルシウムとの重量比を所望の比率に調整する。
【００３１】
顔料組成物は，顔料粒子及び炭酸カルシウム粒子以外にも，分散剤，表面改質剤及び安定化剤もしくはそれらの混合物のような他の成分を含むことができる。しかし，これらの総量は，上記組成物の総重量の最大で約２０重量％，通常１０％以下である。
【００３２】
一般に、本発明に係る組成物は
・水酸化カルシウムを炭酸塩化して炭酸カルシウムを生成し，次に顔料組成物を生成するために顔料粒子を含む水酸化カルシウム含有水性スラリーを二酸化炭素含有ガス中に噴霧し，
・顔料組成物中の炭酸カルシウムの割合が所定の重量百分率に対応するように水性スラリー中の水酸化カルシウムの量を選択することによって製造される。
【００３３】
本方法において，炭酸カルシウム粒子を水酸化カルシウム及び二酸化炭素から沈殿させて炭酸カルシウム粒子が顔料粒子の表面に結合し，他の炭酸カルシウム粒子に結合するために炭酸塩化し，この場合少なくとも部分的に炭酸カルシウム粒子で覆われた実質的に不透明で安定な顔料−炭酸カルシウム凝集体を形成する。
【００３４】
好適には，二酸化チタン粒子を含む水酸化カルシウム含有水性スラリーは，少なくとも実質的に繊維を含まず，この場合沈殿すべき水酸化カルシウムを全て顔料粒子を被覆するのに利用できる。
【００３５】
上記方法では，最終顔料組成物中の炭酸カルシウムの割合が所定の重量百分率に対応するように水性スラリー中の水酸化カルシウム及び炭酸カルシウムの量を選択することによって，顔料粒子と炭酸カルシウムとの重量比を所望の比率に調整できる。
【００３６】
典型的には，顔料粒子を含む水酸化カルシウム含有水性スラリーを高エネルギー混合ゾーンに導き，ここで水性スラリーを滴状，さらに霧滴状に粉砕し，その後二酸化炭素含有ガス内に滴下する。実質的に全ての水酸化カルシウムが炭酸カルシウムに転換するまで炭酸塩化を継続する。
【００３７】
図１ａ及び１ｂは、二酸化チタンを含む炭酸カルシウム組成物を示す。二酸化チタンの結晶形は，順にルチル又はアナターゼとすることができる。しかし、本発明に係る解決策は，水酸化アルミニウム，硫酸バリウム，カオリン，石膏，粉砕又は沈降炭酸カルシウム，チョークもしくはそれらの混合物のような他の光散乱及び／又は吸収顔料対し，かつまたプラスチック顔料及びファーネスブラックもしくはそれらの混合物のような有機顔料材料にも適している。
【００３８】
本発明に係る方法において，炭酸カルシウムを含む顔料組成物を形成する目的で水酸化カルシウムを炭酸塩化するために，顔料粒子を含む水酸化カルシウム含有水性スラリーを二酸化炭素含有ガス内に滴下する。該方法を過剰の二酸化炭素中で行うのが好ましく，この場合炭酸カルシウムの形成がシステムに供給される水酸化カルシウムの量のみで制限される。これらの条件において，炭酸塩化を通常顔料スラリーのｐＨが実質的に中性になるまで継続する。酸を添加する必要はない。
【００３９】
処理装置と同調するプロセスを図２〜６の助けにより詳細に以下に記載した。一般に，炭酸塩化を数段で実施することが有利であることがわかる。この場合，炭酸塩化に関連して水酸化カルシウム含有水性スラリーの二酸化炭素ガス内への噴霧により発生した水性スラリーを回収し，最も好適には更なる炭酸塩化にもたらす。
【００４０】
一実施態様によれば，水性スラリーをもう一回二酸化炭素ガス内に噴霧することによって更に炭酸塩化する。もう一つの実施態様において，二酸化炭素ガスをスラリー内にバブリングすることによって更に炭酸塩化する。
【００４１】
典型的には，水性スラリーが少なくとも一回噴霧を受けるように炭酸塩化を連続的に行う。次いで、顔料粒子を含む光散乱でかつ水酸化カルシウム含有水性スラリーを高エネルギー混合ゾーンに導き，ここで水性スラリーを滴状，さらに霧滴状に破砕し，その後二酸化炭素含有ガス内に滴下する。所要に応じて，分散剤，表面改質剤又は安定化剤もしくはそれらの混合物を製造中又は製造後に製造すべき顔料組成物に添加する。
【００４２】
本質的には，全ての水酸化カルシウム含有水性スラリーを顔料粒子と一緒に炭酸塩化に添加できる。然もまた，水酸化カルシウム含有水性スラリーを炭酸塩化に徐々に及び数バッチで導入することが可能であり，この場合，最も好適には水酸化カルシウム含有水性スラリーの少なくとも一部が、炭酸塩化に供給される場合に顔料を含まない。
【００４３】
一実施態様によれば，顔料を徐々に添加して，できる限り水酸化カルシウムから分離する。
【００４４】
当該方法を一般に約３０〜１００℃，特には約５０〜８０℃の温度で行う。
【００４５】
以下において，図に示した用途をより綿密に説明する。
【００４６】
図２は，本発明に係る連続的に稼働する沈殿反応装置（１０）を示す。該反応器は，沈殿容器（１２），沈殿容器に組み込んだアトマイザー（１４），二酸化チタン粒子を含む水酸化カルシウム含有水性スラリー用の供給パイプ（１６），沈殿化ガス用の吸気パイプ（１８）及び処理顔料組成物用の吐出パイプ（２０）を備える。加えて，該装置はアクチュエーター（２２）を備え，これはアクチュエーター（２２）とアトマイザー（１４）間に配置したベアリング及び封止組立体（２４）を含む。
【００４７】
水平部分を図３に示すアトマイザー（１４）は貫流ミキサーであり，これは６個のブレード２６ａ，２６ａ’，２６ａ”，２８ａ，２８ａ’，２８ａ”を備えた同軸リング２６，２６’，２６”，２８，２８’，２８”を有する。本装置（１４）において，二酸化チタン粒子を含む水酸化カルシウム含有水性スラリーを滴下して小粒子，液滴及び／又は固体粒子を形成する。アトマイザー中の滞留時間は短く，１０秒未満，典型的には２秒未満，最も典型的にはさらに１秒未満である。
【００４８】
図３の矢印が示すように，アトマイザーのリング２６，２６’，２６”の一組が、図３の場合，反時計回りに回転するローターとして機能する。第一組のリング間に一つおきに配置した他の一組のリング２８，２８’，２８”もローターとして機能するが，この場合これらは時計回りに回転する。両組のリング上に搭載したブレード２６ａ，２６ａ’，２６ａ”及び２８ａ，２８ａ’，２８ａ”は，装置の中を外側及び半径方向に移動する顔料組成物に遭遇し，該組成物を繰返し衝撃及び二重衝撃に曝すことになる。また，固定リングを有する装置，すなわちステーターを時計回り回転リングの各組間及び反時計回り回転リングの各組間に使用することにより，顔料粒子を含む水酸化カルシウム含有水性スラリーを滴下することも可能である。
【００４９】
二酸化チタン粒子を含む水酸化カルシウム含有水性スラリーを，パイプ（１６）を介してアトマイザーの中心部（３０）へ供給し，ここからスラリーがローターのブレードの運動及び装置の中心と周縁間に生じた圧力差の結果として半径方向に外側で，外側リング（２８”）の開口外側端（３２）へ向けて移動する。所要に応じて，この水性スラリーをリング間の装置（１４）にも供給できる。また，所望の場合，二酸化チタン粒子及び水酸化カルシウム含有水性スラリーをアトマイザー（１４）内に別のパイプを介して供給することも可能であり，この場合二酸化チタン粒子を含む水酸化カルシウム含有水性スラリーの形成がこの時点よりも早いところで起きない。
【００５０】
反対方向に回転するローターブレード回転の運動により発生した衝撃及び二重衝撃，せん断力，過小圧力及び過大圧力の両方の乱流及び脈動が，二酸化チタン粒子を含む水酸化カルシウム含有水性スラリーを微小な画分，液滴及び固体粒子にドリップする。また，同一方向だが大きく異なる速度で回転するローターを使用するか，もしくはローター・ステーターの組み合わせを使用することによって同一の効果をもたらすことも可能である。
【００５１】
図２及び３に示した本発明に係る解決策においては，沈殿化ガスをパイプ（１８）を介してアトマイザーのリングの中心部（３０）へ導く。この中心部からガスが半径方向外側に流れ，その周囲のアトマイザー及び沈殿容器（１２）の内に沈殿化ガスを含む気相空間（３４）を生じる。かかるガスを，沈殿反応装置の頂部に設置したパイプ（２１）を通して排出する。所望の場合，沈殿化ガスをアトマイザーのリング及び／又はリング間内に供給することが可能である。沈殿反応が、アトマイザーの気相空間内で既に開始する場合がある。
【００５２】
アトマイザー（１４）内で処理する場合，二酸化チタン粒子を含む水酸化カルシウム含有水性スラリーは，上記装置（１４）から気相空間の周囲部分（３４’）内へ分散する微細液滴及び粒子を生成する。微細液滴及び粒子はアトマイザー，主としてその外側リング領域から靄状の流れ（３６）として強力に放出される。アトマイザーからの放出に続いて，微細液滴及び粒子が沈殿容器内に広く分散しながら比較的長い時間沈殿反応が続く。処理した繊維組成物が沈殿容器の底のプールに降下し、パイプ（２０）を通して容器から排出される。
【００５３】
沈殿容器（１２）の適切な寸法，形状，幅及び高さを，アトマイザーから放出された液滴及び粒子が沈殿容器の気相空間(３４’)内に最適な滞留時間留まることを確実にするように選択できる。例えば，沈殿容器（１２）の高さを増してタワー状にすると，繊維組成物の滞留時間を増大する。また，沈殿反応装置（１０）内の処理を，例えば，アトマイザー内のリング数，リング間距離，各リング上のブレード間距離ならびにブレード寸法及び位置を調整することによって制御することもできる。
【００５４】
沈殿容器（１２）の底部を介して排出した顔料組成物を同一沈殿反応装置に再循環するか，又は他の反応装置に供給して処理を終了することができる。
【００５５】
アトマイザーを有する本発明に係る他の沈殿反応装置を示す図４及び５は，適用できる場合，図１及び２に示したのと同じ参照番号を使用する。本発明によれば、図４に示した他の沈殿反応装置（１０）は，主として反応装置が密閉外側リングを装備したアトマイザー（１４）を備え，沈殿反応装置がアトマイザーを超えて延在する別の沈殿領域を備えない点で図２及び３に示す装置と異なる。図４及び５に示す解決策は，例えば，沈殿反応がアトマイザーの気相空間内で所望の方法で既に完了すると考える場合，使用されるのに適する。
【００５６】
図４及び５に示すアトマイザーにおいて，最外リング(２８’)が該リングを封止するハウジング（４０）によって包囲される。該ハウジングは，処理した繊維組成物を装置（１４）から放出するための放出開口（４２）を備える。更なる処理又は更なる加工のため，処理した繊維組成物を放出開口（４２）からパイプを介して導くことができる。図４に示すように，沈殿反応装置から放出した材料を同一の反応装置に再循環するか、又は他の反応装置に導いて炭酸塩化を完了することもできる。
【００５７】
図２及び４に示した両タイプの沈殿反応装置の２基以上を連続シリーズで配置できる。図６は連続シリーズで配置した３基の沈殿反応装置群を示す。第一反応装置は図４に示すタイプ，次の二基の反応装置は図２に示すタイプである。適用できる場合，上記図と同じ参照番号を使用する。
【００５８】
図６は三基の沈殿反応装置１０，１０’及び１０”を示し、この場合二酸化チタン粒子を含む水酸化カルシウム含有水性スラリーをＣＯ2ガスで処理してＣａ2+イオンを炭酸塩化する，すなわちＣａＣＯ3を沈降させるようにする。二酸化チタン粒子を含む水酸化カルシウム含有水性スラリーを，パイプを介して第一沈殿反応装置（１０）の頂部に導き，その中に二酸化炭素含有ガスもパイプ（１８）を介して導く。部分的に炭酸塩化した顔料組成物を休止タンク（４８）を介して第二沈殿反応装置（１０’)に導く。パイプ（５２）を通して処理すべき水性スラリー中に，第一沈殿反応装置の後も，沈殿させる水酸化カルシウムを添加できる。
【００５９】
顔料組成物及び未沈殿の水酸化カルシウムを含む部分的に処理した水性スラリーを，休止タンク（４８）から放出パイプを介して第二反応装置（１０’）の供給パイプ（１６）へ導き，その後底部へて第二沈殿反応装置のアトマイザー（１４）へ導く。沈殿化ガス（１８’），通常二酸化炭素を顔料組成物と共に装置（１４）に導く。同様に，第二反応装置(１０’)で処理した顔料組成物と、未沈殿水酸化カルシウムを含む水性スラリーとを，放出パイプ（２０’）を介して第三反応装置（１０”)の供給パイプ（１６’）に導く。主として二酸化チタンと炭酸カルシウムとの重量比が所定値である予め処理した顔料組成物を第三反応装置（１０”）の底部からパイプ（２０”）によって除去する。
【００６０】
最終反応装置で顔料組成物を仕上げする前の任意の処理段階で水酸化カルシウム又は炭酸カルシウムを添加できる。結合した炭酸カルシウム粒子の平均寸法は水酸化カルシウムの添加によって影響を受けうる。二酸化チタンと炭酸カルシウムとの所望の重量比率を達成するために，最終反応装置で顔料組成物を仕上げする前の任意の処理段階で二酸化チタンを添加することもできる。
【００６１】
二酸化炭素含有ガスをパイプ１８，１８’，１８”を通じて各反応装置に導く。二酸化炭素含有ガスを供給パイプ１８を介して第一反応装置１０に供給し，沈殿(炭酸塩化)を誘発する。生成する炭酸カルシウム粒子が二酸化チタン粒子上に沈殿し、またある程度まで炭酸カルシウム粒子が相互に沈殿する。沈殿反応(炭酸塩化)を完了するために，同一又は別の二酸化炭素含有ガスを第二及び第三沈殿反応装置１０’，１０”にパイプ１８’，１８”を介して導くことが可能である。ガスを反応装置から排気パイプ２１，２１’，２１”を介して除去する。一般に、除去すべきガスは蒸気及び二酸化炭素を含む。かかるガスを処理のためにガス洗浄及び冷却装置（５４）に導く。装置（５４）において，処理した二酸化炭素含有ガスを沈殿反応装置に再循環する。
【００６２】
製造した組成物は、二酸化チタンのような従来の顔料を現在用いるいくつかの用途に適している。数例を挙げると，
・顔料及び結合剤並びに塗料で用いる通常の製造材料及び添加剤を含む塗料組成物
・顔料及び結合剤並びに被覆材料で用いる通常の製造材料及び添加剤を含む被覆材料組成物
・顔料並びに充填材組成物で用いる通常の製造材料及び添加剤を含む充填材組成物
・熱可塑性ポリマーを含み、顔料及び場合によりポリマー組成物で用いる通常の製造材料及び添加剤を混合してなるポリマー組成物
・液相中で混合した顔料、結合剤及び場合により着色顔料並びに印刷インキ組成物で用いる通常の製造材料及び添加剤を含む印刷インキ組成物である。
【００６３】
これらの全てにおいて，顔料の少なくとも１重量％，最も好適には少なくとも５重量％，特には約２０重量％が上述した用途のいずれかによる炭酸カルシウム−顔料凝集体からなる。
【００６４】
下記の限定されない例により，本発明を説明する。
【実施例】
【００６５】
（例１）
（顔料粒子組成物の製造）
試験に用いた原料
１．乾燥物質含有量が約１７％，Ｔ＝６０℃であるＣａ（ＯＨ）2水性スラリー
２．約５０％の乾燥物質に水簸され，Ｔ＝２０℃である市販の二酸化チタン
３．Ｔ＝２０℃のＣＯ2含有ガス。
本発明に係る方法において，沈殿後３０／７０の二酸化チタン／ＰＣＣ質量比を生成する目的で，必要量のＣａ（ＯＨ）2スラリー及び二酸化チタンスラリーを図６に示す一群の沈殿反応装置中に供給することにより顔料粒子組成物を調製した。過剰量の二酸化炭素含有ガスも沈殿反応装置中に供給した。二酸化チタン粒子を含む水酸化カルシウムチタン含有水性スラリーを高エネルギー混合ゾーンに導くことにより，該スラリーを二酸化炭素含有ガス内で小滴に破砕した。
【００６６】
部分的に処理した顔料組成物を第一沈殿反応装置から第二沈殿反応装置中に，更にそこから第三沈殿反応装置中に圧送し，そこから２４％の乾燥物質の割合を有し、温度６５℃の本発明に係る顔料粒子組成物を得た。第三沈殿反応装置後の顔料組成物のｐＨは６．９であった。すなわち，実質的に全てのＣａ（ＯＨ）2を炭酸カルシウムにして沈降した。顔料組成物の炭酸カルシウムの割合を滴定によって求めた。結果は所望どおり６９．９％であった。
【００６７】
（例２）
本発明に係る方法において，二酸化チタンと炭酸カルシウムの質量比が１８／８２である顔料組成物を調製した。該組成物の乾燥物質含有量を６０％へ増やし，分散剤を添加し，それによって非常に流動的な顔料スラリーを得た。本製品を用いて，二酸化チタンの重量あたり５０部を等価量の本発明に係る顔料組成物(乾燥物当たりの乾燥物量で計算した)で置換した以外他の成分を変えずに，完全に無光沢で高度に充填した（ＰＶＣ＞７０％）プライマーを調製した。
【００６８】
二酸化チタンは参照塗料の８．０重量％の割合をしめた。
【００６９】
試験体は二酸化チタン４．０重量％及び本発明に係る顔料組成物４．０重量％からなっていた。このようにして調製した塗料の被覆力を測定し、下記の結果が得られた。
参照        ９６．３％
試験体      ９６．２％
【００７０】
（例３）
例１の顔料組成物から遠心機を用いて水を除去し，分散剤を添加することで乾燥物質含有量６０％の非常に流動的な顔料スラリーを得た。本製品を用いて，被覆ペーストの他の成分が影響されないように板紙に用いる二酸化チタンを置換した。参照ペーストは二酸化チタン４部及び炭酸カルシウム９６部からなっていた。試験体１では二酸化チタンの半分を，試験体２では二酸化チタンの全部を本発明に係る顔料組成物によって置換した。かかるペーストを板紙上に１２ｇ／ｍ2で塗布した。被覆層を溶解によって最終板紙から除去し，その後板紙の不透明度を測定した。下記の結果が得られた。
参照        ７８．４ ％
試験体１    ７８．３％
試験体２    ７８．６％
【００７１】
（例４）
紙中で充填材として用いる二酸化チタンを，製紙中に用いる他の成分を変性することなく，本発明に係る顔料組成物によって置換した。第二参照として，充填材として二酸化チタンと偏三角形体市販ＰＣＣの混合物を本発明に係る製品における二酸化チタンと炭酸カルシウムの比率と同一，すなわち３０／７０の比率で使用することにより紙を調製した。かかる紙の目付は６０ｇ／ｍ2，充填材の割合は１０％であった。このようにして調製した紙シートの不透明度を計測し，下記の結果が得られた。
参照１      ８５．５％
参照２      ８３．８％
試験体１    ８５．７％
【００７２】
本発明は上記説明及び例に限定されない。その代わりに，特許請求の範囲で規定する範囲内で本発明が広く適用されるという意図である。
【図１Ａ】
0005898403.tif 000002
【図１Ｂ】
0005898403.tif 000003
【図２】
0005898403.tif 000004
【図３】
0005898403.tif 000005
【図４】
0005898403.tif 000006
【図５】
0005898403.tif 000007
【図６】
0005898403.tif 000008